(57)【要約】【課題】画像の視認性に対する配慮が十分になされた表示と使いやすい入力操作ができるタッチパネルのユーザーインターフェース技術が備わった撮像装置、画像再生装置を提供する。  【解決手段】ＵＩ制御部は、撮影条件を設定するための設定アイコン２０ａと設定する撮影条件の種類を特定するための設定メニュー３０ａを表示し、上記設定アイコンへの操作指示に応じて、上記設定メニューにおいて上記撮影条件の種類を切り替えて表示し、上記設定アイコンに対する第1のフリック操作２４ａにより、当該設定メニューで特定された撮影条件の種類に対応する設定条件４０を表示し、上記操作部からの当該設定条件を変更する操作により設定条件４０を変更し、上記設定条件の変更後に、上記設定アイコン２０ｂへのクリック操作により当該設定を確定し、上記設定の確定後に、上記設定アイコン２０ｂに対する第２のフリック操作２４ｂにより、上記確定した設定条件をデフォルト値に戻す制御を行う。【選択図】図２
2013021548.tif 000002
【特許請求の範囲】
【請求項１】
被写体像を撮影する撮像部と、
タッチパネルを含む操作部と、
撮影条件を設定するためのＵＩ情報をライブビュー画面上に表示し、上記操作部への入力を検出して、当該ＵＩ情報の表示を制御するＵＩ制御部と、を備え、
上記ＵＩ制御部は、上記ＵＩ情報として、上記撮影条件を設定するための設定アイコンと設定する撮影条件の種類を特定するための設定メニューを表示し、
上記設定アイコンへの操作指示に応じて、上記設定メニューにおいて上記撮影条件の種類を切り替えて表示し、
上記設定アイコンに対する第1のフリック操作を検出した場合に、当該設定メニューで特定された撮影条件の種類に対応する設定条件を表示し、上記操作部からの当該設定条件を変更する操作に対応して設定条件を変更し、
上記設定条件の変更後に、上記設定アイコンへのクリック操作を検出した場合には、当該設定を確定し、
上記設定の確定後に、上記設定アイコンに対する上記第1のフリック操作に対して交差する方向になされる第２のフリック操作を検出した場合には、上記確定した設定条件をデフォルト値に戻す制御を行う
ことを特徴とする撮像装置。
【請求項２】
上記撮像部で得られる画像を処理する画像処理部を備え、
上記画像処理部は、上記変更された設定条件に対応してライブビュー画像の画像処理を行い、
上記ＵＩ制御部は、上記設定条件に対応する上記設定メニュー表示するときに、当該設定条件がデフォルトである場合とデフォルトから変更された場合とで、当該設定メニューの表示態様を異ならせるよう制御する
ことを特徴とする請求項1に記載の撮像装置。
【請求項３】
被写体像を撮影する撮像部と、
タッチパネルを含む操作部と、
撮影条件を設定するためのＵＩ情報をライブビュー画面上に表示し、上記操作部への入力を検出して、当該ＵＩ情報の表示を制御するＵＩ制御部と、を備え、
上記ＵＩ制御部は、上記ＵＩ情報として、上記撮影条件を設定するための設定アイコンと設定する撮影条件の種類を特定するための設定メニューを表示し、
上記設定アイコンへの操作指示に応じて、上記設定メニューにおいて上記撮影条件の種類を切り替えて表示し、
上記設定アイコンに対するクリック操作を検出した場合に、当該設定メニューで特定された撮影条件の種類に対応する設定条件を表示し、上記操作部からの設定条件を変更する操作に対応して設定条件を変更し、
上記設定条件の変更後に、上記設定アイコンへのクリック操作を検出した場合には、当該設定を確定し、
上記設定の確定後に、上記設定アイコンに対するフリック操作を検出した場合には、上記確定した設定条件をデフォルト値に戻す制御を行う
ことを特徴とする撮像装置。
【請求項４】
タッチパネルを含む操作部と、
画像の検索条件を設定するためのＵＩ情報を画面に表示し、当該ＵＩ情報に対する上記操作部への入力を検出して、当該ＵＩ情報の表示及び当該画像検索を制御するＵＩ制御部と、を備え、
上記ＵＩ制御部は、小画像の集合であるインデックス画面において検索アイコンを表示し、
上記検索アイコンと異なる位置に画像検索の条件を示す検索メニューを表示するとともに、上記検索アイコンへのクリック操作に応じて当該検索メニューの画像検索の条件を切り替えて表示し、
上記検索アイコンへのフリック操作を検出して、上記検索メニューに示される画像検索の条件に対応した検索の実行を指示し、上記インデックス画面に当該検索された画像を表示する
ことを特徴とする画像再生装置。
【請求項５】
タッチパネルを含む操作部と、
画像の検索条件を設定するためのＵＩ情報を画面に表示し、当該ＵＩ情報に対する上記操作部への入力を検出して、当該ＵＩ情報の表示及び当該画像検索を制御するＵＩ制御部と、を備え、
上記ＵＩ制御手段は、１コマ再生画面において検索アイコンを表示し、
上記検索アイコンと異なる位置に画像検索の条件を示す検索メニューを表示するとともに、上記検索アイコンへのクリック操作に応じて当該検索メニューの画像検索の条件を切り替えて表示し、
上記検索アイコンへの第1のフリック操作を検出した場合には、上記検索メニューに示される画像検索の条件に対応した検索の実行を指示し、当該検索された画像を上記1コマ再生画面として表示し、
上記検索アイコンへの第１のフリック方向と異なる方向の操作である第2のフリック操作を検出した場合には、上記検索メニューに示される画像検索の条件に対応した検索の実行を指示し、当該検索された画像を小画像の集合であるインデックス再生画面として表示するよう制御する
ことを特徴とする画像再生装置。
【請求項６】
上記検索メニューに含まれる画像検索の条件の１つには、撮影日が共通する画像を検索するという条件が含まれ、
上記ＵＩ制御部は、上記撮影日が共通する画像を検索するという条件で上記検索を指示する場合には、検索実行直前に選択されている画像と撮影日が共通する画像の検索を指示する
ことを特徴とする請求項４または５に記載の画像再生装置。
【請求項７】
上記ＵＩ制御部は、当該検索された画像を上記1コマ再生画面として表示する場合には、検索実行される直前に1コマ表示されている画像の画像番号と同一、またはそれ以上の画像番号であって当該直前に1コマ表示されている画像の画像番号に最も近い画像を、最初に表示する
ことを特徴とする請求項５に記載の画像再生装置。
【請求項８】
被写体像を撮影する撮像部とタッチパネルを含む操作部を備える撮像装置のコンピュータに、撮影条件を設定するためのＵＩ情報をライブビュー画面上に表示し、上記操作部への入力を検出して、当該ＵＩ情報の表示を実行させるプログラムにおいて、
上記ＵＩ情報として、上記撮影条件を設定するための設定アイコンと設定する撮影条件の種類を特定するための設定メニューを表示するステップと、
上記設定アイコンへの操作指示に応じて、上記設定メニューにおいて上記撮影条件の種類を切り替えて表示するステップと、
上記設定アイコンに対する第1のフリック操作を検出した場合に、当該設定メニューで特定された撮影条件の種類に対応する設定条件を表示し、上記操作部からの当該設定条件を変更する操作に対応して設定条件を変更するステップと、
上記設定条件の変更後に、上記設定アイコンへのクリック操作を検出した場合には、当該設定を確定するステップと、
上記設定の確定後に、上記設定アイコンに対する上記第1のフリック操作に対して交差する方向になされる第２のフリック操作を検出した場合には、上記確定した設定条件をデフォルト値に戻すステップと、を含む
ことを特徴とするプログラム。
【発明の詳細な説明】
【技術分野】
【０００１】
本発明は、撮像装置や画像再生装置等におけるユーザーインターフェース技術に関する。
【背景技術】
【０００２】
近年では操作部と表示部が一体化したタッチパネルタイプの表示モニタが付いているデジタルカメラが普及してきている。例えば、画像の整理・検索用として撮影ジャンルを登録させるために、撮影ジャンルに相当するアイコンを画面の端に表示させて、このアイコンへのタッチによりジャンルを選択させるようなカメラが提案されている（特許文献１）。
【０００３】
また、カメラ本体の小型化に伴い、操作ボタン等のスペースは狭くなってきており、同じボタンに複数の機能を割り当てるようにして操作部材の省スペース化をしているカメラもあるが、タッチパネルには、操作ボタン等のスペースが不要となりボディサイズを大きくしないでも、画面サイズを大きくすることができるメリットもある。一例として、多岐に渡る撮影条件を設定するために、タッチ入力のメニューとしてプルダウンメニューの形式を採用したカメラも提案されている（特許文献２）
【先行技術文献】
【特許文献】
【０００４】
【特許文献１】特開平11-146317号公報
【特許文献２】特開2010-187042号公報
【発明の概要】
【発明が解決しようとする課題】
【０００５】
タッチパネルを搭載した装置では、操作ボタンの削除だけでなく、ボタンの内容を画像として表示できることによる操作性の向上も図ることができる。このように、タッチパネル操作は利便性が高いが、デジタルカメラのような画像機器では、アイコンを画像に重複させて表示する場面が多いので、画像表示をなるべく妨げないようアイコンを表示させなければならない。また、カメラのような携帯型の機器ではタッチパネルの大きさに制限も重要である。
【０００６】
本発明は、上記課題に鑑み、画像の視認性に対する配慮が十分になされた表示と使いやすい入力操作ができるタッチパネルのユーザーインターフェース技術が備わった撮像装置、画像再生装置を提供することを目的とする。
【課題を解決するための手段】
【０００７】
上記目的を達成するため、第1の発明に係る撮像装置は、被写体像を撮影する撮像部と、タッチパネルを含む操作部と、撮影条件を設定するためのＵＩ情報をライブビュー画面上に表示し、上記操作部への入力を検出して、当該ＵＩ情報の表示を制御するＵＩ制御部と、を備え、上記ＵＩ制御部は、上記ＵＩ情報として、上記撮影条件を設定するための設定アイコンと設定する撮影条件の種類を特定するための設定メニューを表示し、上記設定アイコンへの操作指示に応じて、上記設定メニューにおいて上記撮影条件の種類を切り替えて表示し、上記設定アイコンに対する第1のフリック操作を検出した場合に、当該設定メニューで特定された撮影条件の種類に対応する設定条件を表示し、上記操作部からの当該設定条件を変更する操作に対応して設定条件を変更し、上記設定条件の変更後に、上記設定アイコンへのクリック操作を検出した場合には、当該設定を確定し、上記設定の確定後に、上記設定アイコンに対する上記第1のフリック操作に対して交差する方向になされる第２のフリック操作を検出した場合には、上記確定した設定条件をデフォルト値に戻す制御を行う。
【０００８】
第２の発明に係る画像再生装置は、タッチパネルを含む操作部と、画像の検索条件を設定するためのＵＩ情報を画面に表示し、当該ＵＩ情報に対する上記操作部への入力を検出して、当該ＵＩ情報の表示及び当該画像検索を制御するＵＩ制御部と、を備え、上記ＵＩ制御部は、小画像の集合であるインデックス画面において検索アイコンを表示し、上記検索アイコンと異なる位置に画像検索の条件を示す検索メニューを表示するとともに、上記検索アイコンへのクリック操作に応じて当該検索メニューの画像検索の条件を切り替えて表示し、上記検索アイコンへのフリック操作を検出して、上記検索メニューに示される画像検索の条件に対応した検索の実行を指示し、上記インデックス画面に当該検索された画像を表示する。
【０００９】
第３の発明に係るプログラムは、被写体像を撮影する撮像部とタッチパネルを含む操作部を備える撮像装置のコンピュータに、撮影条件を設定するためのＵＩ情報をライブビュー画面上に表示し、上記操作部への入力を検出して、当該ＵＩ情報の表示を実行させるプログラムにおいて、上記ＵＩ情報として、上記撮影条件を設定するための設定アイコンと設定する撮影条件の種類を特定するための設定メニューを表示するステップと、上記設定アイコンへの操作指示に応じて、上記設定メニューにおいて上記撮影条件の種類を切り替えて表示するステップと、上記設定アイコンに対する第1のフリック操作を検出した場合に、当該設定メニューで特定された撮影条件の種類に対応する設定条件を表示し、上記操作部からの当該設定条件を変更する操作に対応して設定条件を変更するステップと、上記設定条件の変更後に、上記設定アイコンへのクリック操作を検出した場合には、当該設定を確定するステップと、
上記設定の確定後に、上記設定アイコンに対する上記第1のフリック操作に対して交差する方向になされる第２のフリック操作を検出した場合には、上記確定した設定条件をデフォルト値に戻すステップと、を含む。
【発明の効果】
【００１０】
本発明は、画像の視認性に対する配慮が十分になされた表示と使いやすい入力操作ができるタッチパネルのユーザーインターフェース技術が備わったカメラ、画像再生装置を提供することができる。
【図面の簡単な説明】
【００１１】
【図１】図１は、本発明を適用したカメラのブロック図である。
【図２】図２は、撮影条件の１つである「明るさ」を変更する操作画面を示す図である。
【図３】図３は、撮影条件の１つである「色合い」を変更する操作画面を示す図である。
【図４】図４は、撮影条件の１つである「ピクチャーモード」を変更する操作画面を示す図である。
【図５】図５は、撮影条件の１つである「縦横比」を変更する操作画面を示す図である。
【図６】図６は、撮影条件の１つである「感度」を変更する操作画面を示す図である。
【図７】図７は、設定メニューの条件を一括してデフォルトに戻す操作を示す画面である。
【図８】図８は、撮影モードでの設定メニューの各項目を示す表である。
【図９】図９は、1コマ再生モードにおいて、検索メニューとして静止画検索を行う場合の操作画面を示すものである。
【図１０】図１０は、再生モードでの検索メニューの各項目を示す表である。
【図１１】図１１は、1コマ再生画面において、検索メニューとして動画検索を行う場合の操作画面を示すものである。
【図１２】図１２は、インデックス再生画面において、検索メニューとして静止画検索を行う場合の操作画面を示すものである。
【図１３】図１３は、検索時に1コマ再生画面からインデックス再生画面への移行操作を示す図である。
【図１４】図１４は、検索時に1コマ再生画面とインデックス再生画面間の移行操作を示す図である。
【図１５】図１５は、撮影モードにおいて、設定メニューの変更に関する処理を説明する第1のフローチャートである。
【図１６】図１６は、撮影モードにおいて、設定メニューの変更に関する処理を説明する第２のフローチャートである。
【図１７】図１７は、再生モードにおける検索処理を説明する第1のフローチャートである。
【図１８】図１８は、再生モードにおける検索処理を説明する第2のフローチャートである。
【発明を実施するための形態】
【００１２】
以下、図面に従って本発明の実施形態を説明する。本実施形態として、本発明の撮像装置及び画像再生装置を備えたカメラを例に説明する。図１は、本発明を適用したカメラのブロック図である。
【００１３】
デジタルカメラ１００は、制御部１０７、レンズ１０１、撮像素子１０２、撮像回路１０３、Ａ／Ｄ変換部１０４、画像処理部１０５、ＪＰＥＧ処理部１０６、SDRAM１０８、メモリＩ／Ｆ１０９、表示ドライバ１１０、記録媒体１１５、表示部１１６、バス１２０を備える。
【００１４】
制御部１０７は、デジタルカメラ１００の全体を制御するものである。制御部１０７には、メモリ１１４、操作部１１３が接続される。メモリ１１４は、カメラの制御プログラムが記録された不揮発性のメモリで、例えばフラッシュメモリである。操作部１１３は、操作者が各種指示をカメラに入力するためのものである。操作部１１３には、カメラボディの外観に設けられる操作ボタンおよびそのスイッチ、およびカメラボディの背面に表示部１１６に重ねて配置されるタッチパネル１１３ａが含まれる。操作ボタンには、撮影指示用のレリーズボタンあるいはその他のボタンが含まれる。そして、制御部１０７は、制御プログラムを読み込んで、操作部１１３からの操作指示を検出して、操作指示に応じた処理を行う。
【００１５】
また、制御部１０７は、処理機能の１つとして、カメラの動作指示に関する情報を表示部１１６の画面に表示し、その情報とユーザーからの操作を対応させて制御するＵＩ（User  Interface）機能を有し、便宜上これをＵＩ制御部１０７ａと表現する。ＵＩ制御部１０７ａは、撮影モードにおいて、撮影条件を設定するためのＵＩ情報をライブビュー画面上に表示させ、上記操作部１１３へ入力された指示に応じて、この撮影条件に関するＵＩ情報の表示を制御し、併せて撮影条件の設定を制御する。また、再生モードにおいては、ＵＩ制御部１０７ａは画像の検索条件を設定するためのＵＩ情報を画面に表示し、ＵＩ情報に対する上記操作部への入力を検出して、この検索に関するＵＩ情報の表示及び当該画像検索を制御する。
【００１６】
レンズ１０１は、複数のレンズから構成され、被写体像を撮像素子１０２に結像する。レンズ駆動部１１１は、モータや伝達系を有し、モータを駆動して、レンズ１０１を所定のピント位置あるいは指示されたズーム位置に移動するよう調整する。制御部１０７には、レンズ駆動部１１１を制御するレンズ駆動制御回路１１２が接続される。レンズ駆動制御回路１１２は、操作部１１３からの指示あるいは制御プログラムに従った制御部１０７からの命令に従って、レンズ駆動部１１１を構成するモータ等を駆動するものである。
【００１７】
撮像素子１０２は、ＣＣＤやＣＭＯＳで構成され、被写体像を電気信号に変換するものである。撮像素子１０２で光電変換された画像信号は撮像回路１０３に入力される。撮像回路１０３は、適切なゲインで画像信号を増幅する。Ａ／Ｄ変換部１０４は、撮像回路１０３から出力されたアナログの画像信号をデジタルの画像データに変換する。レンズ部１０１、撮像素子１０２、撮像回路１０３、Ａ／Ｄ変換部１０４等から撮像部１１８が構成される。
【００１８】
画像処理部１０５は、デジタル化された画像データに対して、ホワイトバランス、ガンマ補正等の処理を行い、さらに表示部１１６に表示するライブビュー画像や再生画像に対しする表示用の処理、及び各種情報やアイコンをライブビュー画像や再生画像に重畳して表示する処理を行う。画像処理部１０５には、撮影時に指定された特殊フィルタ（画像処理）を施すための回路も設けられている。これにより、通常撮影とは明らかに異なる特殊な効果で撮影された画像を得ることができる。
【００１９】
ＪＰＥＧ処理部１０６は、撮影されて画像処理部１０５で各種画像処理がされた画像データを、記録媒体１１５に記録するため、または記録媒体１１５に記録された画像データを再生するためのものである。ＪＰＥＧ処理部１０６は、記録時には記録媒体１１５に記録するためのＪＰＥＧ圧縮処理を行い、再生時には記録媒体１１５から読み出した圧縮された画像データに対して伸長処理を行う。ＪＰＥＧ処理部１０６には、必要に応じてＭＰＥＧ等の動画処理機能が含まれる。
【００２０】
ＳＤＲＡＭ（Synchronous Dynamic Random Access Memory）１０８は、デジタルの画像信号を一時的に格納するためのメモリである。ＳＤＲＡＭ１０８は、Ａ／Ｄ変換部１０４、画像処理部１０５、ＪＰＥＧ処理部１０６、メモリＩ／Ｆ１０９、表示ドライバ１１０の各種処理中に、画像データを一時的に格納するバッファーエリアである。
【００２１】
メモリＩ／Ｆ１０９は、記録媒体１１５に画像データを記録、あるいは記録媒体１１５から画像データを読み出しするために、記録媒体１１５を制御するインターフェース部である。記録媒体１１５は、画像データの保存用メモリであって、フラッシュメモリやハードディスクから構成される。
【００２２】
表示ドライバ１１０は、撮影時のライブビュー画像や再生時の画像を表示部１１６に表示させるよう表示部１１６を駆動する。表示部１１６は、ＬＣＤやＥＬ等の表示素子から構成される。前述したように、表示部１１６の表面にはタッチパネル１１３ａが設けられる。
【００２３】
バス１９９は、制御部１０７と各種処理部を接続するもので、制御部１０７、画像処理部１０５、ＪＰＥＧ処理部１０６、ＳＤＲＡＭ１０８、メモリＩ／Ｆ１０９、表示ドライバ１１０等が接続される。
【００２４】
以下では、上記のように構成されたカメラにおいて、撮影や再生においてセットアイコンとセットメニューを画面に表示して、セットアイコンとセットメニューに対する操作指示によって各種処理を行うことを説明する。
【００２５】
撮影モードにおいて、セットアイコンとして撮影条件を設定するための設定アイコンを表示し、セットメニューとして撮影条件の項目である設定メニューを表示する。再生モードにおいては、セットアイコンとして撮影条件を設定するための検索アイコンを表示し、セットメニューとして検索メニューを表示する。なお、これらのセットアイコン、セットメニューあるいは後述する設定条件等をまとめてＵＩ情報とも呼ぶ。
【００２６】
図２〜図８を用いて、撮影モードにおいて、設定アイコン・設定メニュー等への操作によって撮影条件を設定することの具体例を説明する。
【００２７】
まず図２は、撮影条件の１つである「明るさ」を変更する操作画面を示す図である。図２（Ａ）は、撮影条件が全てデフォルト（ALL  リセットとも称す）の状態での画面である。表示部１１６の画面１０に、被写体や撮影画角等の確認のためのライブビュー画像が表示され、ライブビュー画像に重畳されて画面１０の右上隅に設定アイコン２０ａが表示される。そして、図２（Ａ）では、撮影条件が全てデフォルト状態の場合であることを示すために、設定アイコンは白抜きの設定アイコン２０ａで表示される。
【００２８】
そして、図２（Ａ）において設定アイコン２０ａが撮影者の指８０により1回クリック（タッチ）されると、このクリック操作がタッチパネルで検出される。そして、図２（Ｂ）のように設定アイコン２０ａの左横に設定メニュー３０ａが横長で表示される画面に切換わる。設定メニュー３０ａは、設定されるメニューの項目を示すものである。図８は、本例での設定メニューの項目の種類を示す表である。最初に表示されるのは、項目名が一番上の「ALL  リセット」である。
【００２９】
そして、設定アイコン２０ａがクリックされる度に、設定メニューの項目が図８の表で示す番号Ｎの順番に、各項目が１つづつ切換わる。図２（Ｂ）において設定アイコン２０ａが1回クリックされると、図２（Ｃ）のように、設定メニューがＮ＝２である「明るさ」に切換わる。ここで、設定メニューとして表示されている項目の条件が、未だ変更されていない、つまりデフォルト値であるので、設定メニューは白抜きの設定メニュー３０ａで表示される。ここで、設定メニューの現在の項目「明るさ」は、デフォルト値なので、白抜きの設定メニュー３０ａで表示される。
【００３０】
そして、図２（Ｃ）において設定メニュー３０ａに沿って、あるいは設定メニュー３０ａの近傍で、設定アイコン２０ａから左方向に向かってフリック操作２４ａが行われると、図２（Ｄ）に示すように、画面１０の中央から右寄りの位置に設定条件４０が表示される。フリック操作とは、画面上を指で滑らせる操作をいう。設定条件４０は、設定メニューの項目の具体的条件を設定操作するための表示である。設定条件４０は、設定メニューの項目の種類によって、具体的表示内容が異なる。ここでは、設定メニューが「明るさ」なので、明るさ(輝度)の具体的条件が表示される。「明るさ」の設定条件４０は、調整可能な全体範囲を示すライン４０ａと、ライン４０ａに沿って移動可能で調整位置を決めるためのスライダ４０ｂと、ライン４０ａの両端に配置され増減の方向を示す名称（明るい、暗い）４０ｃから構成される。図２（Ｄ）では、「明るさ」がデフォルト状態なので、スライダ４０ｂは、ライン４０ａのセンタに表示される。
【００３１】
図２（Ｄ）に示すように、スライダ４０ｂが指で上下にスライド操作２６されると、その位置に応じて現在の設定メニューである「明るさ」が調整される。スライダ４０ｂの調整に連動して、表示されるライブビュー画像の明るさも変化する。従って、画面を見ながら適当な明るさの位置を設定することできる。
【００３２】
図２（Ｅ）は、「明るさ」が明るい方向に調整された後の画面である。この状態で、図２（Ｅ）に示すように、設定メニュー３０ａがクリック操作されると、その設定が確定される。図２（Ｆ）は確定後の画面で、設定条件４０の表示は消去される。さらに、図２（Ｆ）に示すように、デフォルト条件とは異なる条件に設定されたので、黒文字の設定メニュー３０ｂが表示され、設定アイコンも黒文字の設定アイコン２０ｂで表示される。
【００３３】
さらに図２（Ｆ）に示すように、設定アイコン２０ｂを基点として縦方向にフリック操作２４ｂがされた場合には、設定メニュー３０ａで表示されている項目をデフォルト状態に戻す。図２（Ｇ）に示すように、「明るさ」がデフォルトの値（センタ値）に戻される。「明るさ」がデフォルトに戻されたので、「明るさ」は黒抜きの設定メニュー３０ａで表示される。また、「明るさ」がデフォルト値に戻され、現在は他の条件もデフォルト値なので、結局全てがリセット（ALL  リセット）されたことになるので、設定アイコンも黒抜きの設定アイコン２０ａで表示される。フリック操作２４ａを第１のフリック操作、フリック操作２４ｂを第２のフリック操作とも呼ぶ。
【００３４】
図３は、撮影条件の１つである「色合い」を変更する操作画面を示す図である。図８の表で、N＝３の項目である。図３（Ａ）は、図２（Ｂ）と同じ状態の画面である。図３（Ａ）において設定アイコン２０ａがクリック操作されると、図３（Ｂ）に示すように設定メニュー３０ａとして「色合い」が表示される。ここでも、設定メニューの現在の項目「色合い」はデフォルト値とし、図２（Ｃ）と同様に白抜きの設定メニュー３０ａで表示される。
【００３５】
次に、図３（Ｂ）に示すように、設定メニュー３０ａに沿って、あるいは設定メニュー３０ａの近傍で、左方向に向かってフリック操作２４ａが行われると、図３（Ｃ）に示す画面に切換わる。
【００３６】
図３（Ｃ）では、画面１０に「色合い」を具体的に設定するための設定条件４１が表示される。ここで、「色合い」の設定条件４１は、「明るさ」と同様の形式で、調整可能な全体範囲を示すラインと、設定位置を示すスライダと、ラインの増減方向を示す名称（暖かい、クール）から構成される。
【００３７】
スライダが指で上下にスライド操作２６されると、その位置に応じて現在の設定メニューである「色合い」が調整される。スライダの調整に連動して、表示されるライブビュー画像の色合いも変化する。
【００３８】
図３（Ｄ）は、「色合い」が暖かい方向に調整された後の画面である。図３（Ｄ）の画面でさらに、設定メニュー３０ａがクリック操作されると、その設定が確定される。図３（Ｅ）は設定が確定された画面である。設定条件４１は消去される。そして、設定アイコン及び設定メニューは、黒文字の設定アイコン２０ｂと黒文字の設定メニュー３０ｂで表示される。
【００３９】
図４は、撮影条件の１つである「ピクチャー」を変更する操作画面を示す図である。「ピクチャー」とは、画像の色調を意味する。具体的には、画像処理部１０５が  ホワイトバランス、コントラストやシャープネス等を微調整することで行う。図８の表で、N＝４の項目である。図４（Ａ）は、図３（Ｂ）と同じ状態の画面である。図４（Ａ）において、設定アイコン２０ａがクリック操作されると、図４（Ｂ）に示すように、設定メニュー３０ａが「明るさ」から「ピクチャー」に切換わって表示される。ここで、「ピクチャー」は、現在デフォルト値なので、白抜きの設定メニュー３０ａで表示される。
【００４０】
図４（Ｂ）に示すように、図２（Ｃ）で説明したと同様なフリック操作２４ａが行われると、図４（Ｃ）に画面が切換わり、画面１０に「ピクチャー」を具体的な設定するための設定条件４２が表示される。
【００４１】
ここで、「ピクチャー」の設定条件４２は、具体的なピクチャー名が縦に並んだ表の形式で、表示される。提示されたピクチャー名の中から、撮影者によってクリックされた名称が「ピクチャー」として設定される。ここで、「ピクチャー」のデフォルトは、「NATURAL」であるとし、設定条件４２の中で「NATURAL」が黒文字で表示される。「NATURAL」は標準的な色調の画像である。また、設定条件４２で一番下の項目（下矢印）は、設定条件４２に新たなページがあることを示す表示である。この矢印欄４２ａがクリック操作されると、図４（Ｃ）から図４（Ｅ）に画面が切換わり、設定条件４２として新たなページが表示される。
【００４２】
図４（Ｃ）の画面において、設定条件４２の「NATURAL」以外のいずれかのピクチャー名がクリック操作で選択されると、選択されたピクチャーに対応するライブビュー画像が表示される。そして、設定アイコン２０ｂがクリック操作されると、その変更が確定される。図４（Ｄ）の画面は、確定された後の画面で、設定条件４２は消去され、また、設定アイコン及び設定メニューは、「ピクチャー」がデフォルト（「NATURAL」）から変更されたので、黒文字の設定アイコン２０ｂと黒文字の設定メニュー３０ｂで表示される。
【００４３】
図５は、撮影条件の１つである「縦横比」を変更する操作画面を示す図である。図８の表で、N＝５の項目である。例えば、図４（Ａ）において。設定アイコン２０ａがクリック操作されると、図４（Ａ）から図５（Ａ）に画面が切換わり、設定メニュー３０ａとして撮影時アスペクト比を設定する「縦横比」が表示される。ここで、「縦横比」は、現在デフォルト値（１６：９）なので、白抜きの設定メニュー３０ａで表示される。
【００４４】
次に、図５（Ａ）において、図２（Ｃ）で説明したような設定アイコン２０ａから左方向に向かってフリック操作２４ａが行われると、図５（Ｂ）に画面が切換わり、画面１０に「縦横比」を具体的な設定するための設定条件４３が表示される。
【００４５】
ここで、「縦横比」の設定条件４３は、具体的な縦横比が縦に並んだ表の形式で、表示される。提示された縦横比の中から、撮影者によってクリック操作で選択された縦横比が設定される。現在「縦横比」はデフォルト値なので、「１６：９」の項目４３ａが黒文字で表示される。図５（Ｃ）に示すように、設定条件４３の中で「６：６」の項目４３ｂが選択されると、ライブビュー画像が「６：６」の画像に変更されて表示される。
【００４６】
図５（Ｃ）において、さらに設定メニュー３０ａがクリック操作されると変更が確定され、図５（Ｄ）の画面に切換わる。図５（Ｄ）の画面では、設定条件４３は消去され、また、設定アイコン及び設定メニューは、黒文字の設定アイコン２０ｂと黒文字の設定メニュー３０ｂとして表示される。
【００４７】
図６は、撮影条件の１つである「感度」を変更する操作画面を示す図である。図８の表で、N＝６の項目である。例えば、図５（Ａ）で設定アイコン２０ａがクリック操作されると、図５（Ａ）から図６（Ａ）に画面が変わり、設定メニュー３０ａとして「感度」が表示される。ここで、「感度」は、現在デフォルト値なので、白抜きの設定メニュー３０ａで表示される。
【００４８】
次に、図６（Ａ）に示すように、図２（Ｃ）で説明したと同様なフリック操作２４ａが行われると、図６（Ａ）から図６（Ｂ）に画面が切換わり、画面１０に「感度」を具体的な設定するための設定条件４４が表示される。
【００４９】
ここで、「感度」の設定条件４４は、具体的な感度（ＩＳＯ値）が縦に並んだ表の形式で、表示される。提示された感度の中から、撮影者によってクリックされた感度が設定される。「感度」のデフォルトは、ここでは「ＡＵＴＯ」であるとし、「ＡＵＴＯ」の項目４４ａが黒文字で表示される。図６（Ｃ）は、設定条件４５の中で感度１６００の項目４４ｂが選択され、ライブビュー画像がその感度に従って表示された画面である。図６（Ｃ）において、さらに設定アイコン２０ａがクリック操作されると変更が確定され、図６（Ｄ）の画面に切換わる。図６（Ｄ）の画面では、設定条件４４は消去され、また、設定アイコン及び設定メニューは、黒文字の設定アイコン２０ｂと黒文字の設定メニュー３０ｂとして表示される。
【００５０】
図７は、図８のN=２から６までの設定メニューの条件（撮影条件）を一括してデフォルトに戻す（ALLリセット）操作を示す画面である。例えば、図６（D）で、さらに設定アイコン２０ｂがクリック操作されて、設定メニューで表示される項目が切換わった画面である。
【００５１】
図７（A）の画面では、設定アイコンが黒文字の設定アイコン２０ｂで示され、かつ設定メニューが黒文字の設定メニュー３０ｂで示され、設定メニューの条件（撮影条件）の１つかあるいは複数がデフォルトから変更された状態であることを示している。
【００５２】
図７（A）の画面で、図２（Ｃ）で説明したような設定アイコン２０ａから左方向に向かってフリック操作２４ａが行われると、図７（Ａ）から図７（Ｂ）に画面が切換わり、画面１０に具体的な設定するための設定条件４５として、「キャンセル」と「実行」の項目が表示される。図７（Ｂ）の画面において、「実行」が選択され、設定アイコン２０ｂがクリックされると、ALLリセットが実行される。設定メニューの条件が一括してデフォルトに戻される。図７（C）は、ALLリセットが実行された後の画面である。図７（C）の画面では、黒文字の設定アイコン２０ｂと黒文字の設定メニュー３０ｂとして表示される。
【００５３】
以上のように、撮影モードにおいて、設定アイコンに対するクリック操作によって、設定メニューの内容が切換わって表示されるようにし、さらに、設定メニューに対するフリック操作によって、その設定メニューに関する具体的な設定条件が表示させるようにした。これにより、通常は設定アイコンのみ表示させて、設定メニューと設定条件を段階的に表示させるようにすることで、撮影条件を設定するためのＵＩ情報によってライブビュー画像の視認が妨げられる機会を減らすようにできる。また、クリック操作とフリック操作の２つの操作を利用することで、操作ミスも簡単に防止できる。また、不要になった情報は素早く消去することで、画像の妨げをできるだけ少なくできる。
【００５４】
なお、上図で示したアイコンの位置や形状、あるいは設定メニューの表示内容は、一例であって、これに限定されるものではない。
【００５５】
なお、図２〜図７までは、「設定条件（４０等）を表示させる操作」として「設定アイコン２０ａから左方向へのフリック操作２４ａ（第1のフリック操作）」を対応させ、「設定条件の内容をデフォルトに戻す（リセット）操作」として「設定アイコンへの下方向へのフリック操作２４ｂ（第２のフリック操作）」を対応させて説明したがこれに限るものではない。左右あるいは上下の方向が逆でも良いし、第1と第2を逆にしてもよい。つまり、相互に識別できる程度に２つフリック操作の角度が異なっていればよい。
【００５６】
また、「設定条件を表示させる操作」として「設定メニューを１クリックする操作」を対応させ、「設定条件の内容をデフォルトに戻す（リセット）操作」として「設定アイコン２０ａからのフリック操作（左右上下いずれでも可）」を対応させるようにしてもよい。
【００５７】
また、設定メニューや設定条件を表示後の一定時間操作がない場合には、変更の意思なしとみなして、その表示を消去するようにしてもよい。
【００５８】
次に、図９〜図１４を用いて、再生モードにおける画像検索の手順を説明する。再生モードでは、セットアイコンとして検索アイコンを適用し、かつ設定メニューとして検索メニューを適用して、撮影画像の検索操作を行う。
【００５９】
図９は、1コマ再生モードにおいて、検索メニューとして静止画検索を行う場合の操作画面を示すものである。図９（Ａ）は、1コマ再生モードの画面である。画面５０の左下隅には、現在再生モードであることを示すモード表示５２として、「P」が表示される。画面５０の左上隅に画像番号５４として、「１０」が表示される。画像番号５４は、撮影画像の種類（静止画、動画等）に関わらず撮影の順番に各画像に付番される番号である。画面５０の中段の右寄りの位置に、コマ送り戻しアイコン５６が表示される。コマ送り戻しアイコン５６は、表示される1コマ画像を1つ前あるいは１つ後の画像番号の画像に切換えるためのアイコンである。コマ送り戻しアイコン５６の左向矢印がクリックされると、画像番号で1つ前の画像に戻り、逆に右向矢印がクリックされると、画像番号で1つ後の画像が表示される。
【００６０】
画面の右上に検索アイコン６０と検索メニュー７０ａが表示される。図１０は、検索メニュー７０ａの具体例を示す表である。検索メニューとは、記録媒体から画像を検索する際に用いられる検索の条件である。本例では、検索メニューの項目として、ＡＬＬ、静止画、動画、フィルタ処理画像、３Ｄ画像、日付の６種が用意されている。
【００６１】
各メニューの項目の番号は、上から順にＮ＝１、２・・・６である。検索メニューの「ＡＬＬ」は、記録媒体に記録された全ての画像の検索を指示する。検索メニューの「静止画」は、記録媒体から静止画像の検索を指示する。検索メニューの「動画」は、記録媒体から動画像の検索を指示する。検索メニューの「フィルタ処理画像」は、撮影時に特殊フィルタ（画像処理）モードで撮影された静止画・動画の検索を指示する。検索メニューの「３Ｄ」は、撮影時に３Ｄ（立体）撮影モードで撮影された静止画・動画の検索を指示する。検索メニューの「日付」は、基準画像と同じ撮影日付の画像（動画・静止画等を問わず）の検索を指示する。なお、記録媒体からの静止画・動画等の検索は、画像ファイルに添付されたタグ情報に基づいて、制御部１０７によって処理される。
【００６２】
再生モードのスタート時には、検索メニューのデフォルトとして「ALL」が設定されるものとする。図９（Ａ）の画面は、再生モードのスタート時の画面であるとし、検索メニュー７０ａとして「ALL」が設定され、表示されている。ここで、検索メニュー７０ａは、白抜きで表示される。白抜きは、検索済みであることを示し、黒文字が未検索であることを示す。また、再生モードでは、検索アイコン６０は全て黒文字で表示される。
【００６３】
図９（Ａ）に示すように、検索アイコン６０が１回クリックされると、図９（Ａ）から図９（Ｂ）に画面が変わり、検索メニュー７０ａが「静止画」に切換わる。ここでは、検索メニュー７０ｂは黒文字で表示される。この時点では、検索は始まっていないので、黒文字の検索メニュー７０ｂとして表示される。図９（Ｂ）に示すように、検索メニュー７０ｂに沿って、あるいは検索メニュー７０ｂの近傍で、検索アイコン６０から左方向に向かってフリック操作２４ａ（第1のフリック操作）が行われると、静止画の検索が開始される。図９（Ｂ）の画面では、コマ送り戻しアイコン５６は消去される。
【００６４】
検索が終了すると、図９（Ｃ）に代わる。図９（Ｃ）は、検索終了後の最初の画面である。検索後に最初に表示する画像として、検索開始直前の表示画像よりも画像番号が同じか大きく、かつ最も近い画像を選ぶものとする。本例では、検索開始直前の表示画像（No１０）も静止画であるため、検索処理後に最初に表示される画像も、同じくＮｏ１０の画像になる。コマ送り戻しアイコン５６は、再度表示される。検索メニューは、検索済みであるため、白抜きの検索メニュー７０ａとして表示される。図９（Ｃ）の画面で、コマ送り戻しアイコン５６の矢印右側がクリックされると、次の静止画であるＮｏ１１の画像に切換わる（図９（Ｄ））。
【００６５】
図１１は、1コマ再生画面において、検索メニューとして動画検索を行う場合の操作画面を示すものである。図１１（Ａ）は、図９（Ｃ）と同じである。図１１（Ａ）に示すように、検索アイコン６０が１回クリック操作されると、図１１（Ｂ）に画面が変わり、検索メニュー７０ｂが「動画」に切換わる。ここで、検索メニュー７０ｂ（動画）は黒文字で表示される。次に、図１０（Ｃ）に示すように、図９（B）と同様なフリック操作２４ａが行われると、静止画の検索が開始される。検索中は、コマ送り戻しアイコン５６は消去される。検索が終了すると、図１１（Ｄ）は示すように、検索された動画の中で最初の動画像が静止画として表示される。表示される最初の動画像は、検索直前の画像Ｎｏ１０に対して画像番号が同一かまたは大きくて最も近い画像である。例えば、Ｎｏ１２の動画像とする。画面５０中央に、動画再生を開始させるための再生アイコン５８が表示される。再生アイコン５８がクリック操作されると、Ｎｏ１２の動画像の再生が開始される。図１１（Ｄ）において、コマ送り戻しアイコン５６の右側矢印がクリックされると、画面が図１１（Ｅ）に切換わり、次の動画像であるNo１６が静止画として表示される。
【００６６】
図１２は、インデックス再生画面において、検索メニューとして動画検索を行う場合の操作画面を示すものである。図１２（Ａ）は、デフォルト状態下（ＡＬＬ）でのインデックス再生モードの画面である。インデックス再生においても、1コマ再生と同じく、検索メニューのデフォルトは、「ＡＬＬ」とする。画面５０の中央に、インデックス画像６２が表示される。ここでインデックス画像として、3行3列で9枚の小画像から構成されたものを示すが、枚数等はユーザの指示で変更される。
【００６７】
説明の便宜上、インデックス画像６２を構成する各小画像には、上の段に画像の種別、下の段に画像番号をそれぞれ表示する。「静止」はその画像の種類が静止画像であることを意味し、「動画」はその画像が動画像であること、Ｎｏ１２の「Ｆ静止」はフィルタ処理された静止画像であること、Ｎｏ１６の「Ｆ動画」はフィルタ処理された動画像であることを、それぞれ意味する。また、動画像の小画像の左右には、パーフォレーションのマークを付帯させて、動画像であることを強調している。なお、これら画像の種別や画像番号は、実際のインデックス画像上では表示しなくても良い。
【００６８】
また、画面５０の右上隅に検索アイコン６０が表示され、検索アイコン６０の左横に横長に検索メニュー７０ａが表示される。画面５０の右端にページ送り戻しアイコン５７が表示される。
【００６９】
検索アイコン６０がクリック操作される度に、検索メニューが順次切換わる。図１２（Ｂ）に示すように、検索アイコン６０が1回クリック操作されると、図１２（Ｃ）に切換わり、検索メニューの表示内容が「ＡＬＬ」から「静止画」に切換わる。検索メニューとしては、黒文字の検索メニュー７０ｂが表示される。ここで、ページ送り戻しアイコン５７は消去される。さらに、図１２（Ｃ）に示すように、フリック操作２４ａが行われると、静止画の検索が開始される。図１２（Ｄ）は、静止画検索が終了して、静止画のみのインデックス画像が表示された画面である。検索後のインデックス画像の最初の画面も、1コマ再生の場合と同様に、検索直前のインデックス画像６２の先頭画像を基準として、この画像と同じかそれよりも画像番号が大きい画像であって、もっとも近い画像が先頭画像となるように表示する。また、ページ送り戻しアイコン５７が再度表示される。
【００７０】
図１３は、検索時に1コマ再生画面からインデックス再生画面へ移行する操作の1例を示す図である。図１３（Ａ）は、図９（Ｂ）と同じ画面である。図９（B）では、横方向になされたフリック操作によって、静止画像を検索する処理が行われた。図１３（Ａ）に示すように、縦方向にフリック操作２４ｂ（第２のフリック操作）が行われると、静止画検索が実行され、かつその結果が図１３（Ｂ）に示すように、インデックス再生画面で表示される。また、図１３（Ｂ）において静止画像の小画像のいずれかがクリック操作されると、1コマ表示画面に切換わる。図１３（Ｂ）で例えばＮｏ１５の静止画像がクリックされたとすると、図１３（Ｃ）に示すように、Ｎｏ１５の静止画像が1コマ再生画面で表示される。図１３（Ｃ）において、コマ送り戻しアイコン５６が操作されると、ＮＯ１５の前後の静止画像が順番に表示される。
【００７１】
図１４は、検索時に1コマ再生画面とインデックス再生画面間の移行する操作の他の例を示すものである。図１４（Ａ）は、検索メニューとして「３Ｄ」が選択されている画面である。図１４（Ａ）に示すように、検索アイコン６０から縦方向のフリック操作２４ｂが行われると、図１３で説明した同様に、３Ｄ撮影された画像の検索が実行される。検索が終了すると、図１４（Ｂ）に示すように、検索された3Ｄ画像がインデックス画像６２として表示される。
【００７２】
一方、図１４（Ａ）において、検索アイコン６０が1回クリック操作されると、検索メニューが「３Ｄ」から「日付」に切換わる（図１４（Ｃ））。そして、図１４（Ｃ）に示すように、検索メニューとして「日付」が表示されている場合に、横方向にフリック操作２４ａが行われると、検索直前の画像と撮影日が同じ画像の検索が開始される。検索が終了すると、図１４（Ｄ）に示すように、検索された静止画像の最初の画像（ここでは、Ｎｏ１０）が表示される。図１４（Ｅ）は、検索メニューとして「日付」が表示されている場合に、縦方向にフリック操作２４ａが行われた画面である。縦方向のフリック操作２４ｂにより、検索直前の画像と撮影日が同じ画像の検索が開始される。検索が終了すると、図１４（Ｆ）に示すようなインデックス画像画面で表示される。
【００７３】
以上のように、再生モードにおいて、セットアイコンとして検索条件を設定する検索アイコンを表示し、検索アイコンに対するクリック操作で検索メニューの切換えを行うようする。これによって、検索メニュー選択用の情報の表示サイズを小さくでき、かつ必要な場合にのみ表示できるので、画像検索用のＵＩ情報の表示による画像視認への悪影響を少なくできる。さらに、検索時のフリック操作の方向によって、検索結果の表示を１コマ再生かインデックス再生するかを選択できるので、検索結果の表示態様を選択することが容易にできる。
【００７４】
なお、上図で示したアイコンの位置や形状、あるいは検索メニューの表示内容は、一例であって、これに限定されるものではない。また、撮影モードでも説明したが、第1のフリック操作と第２のフリック操作は、左右あるいは上下の方向が逆でも良いし、第1と第2を逆にしてもよい。つまり、相互に識別できる程度に２つフリック操作の角度が異なっていればよい。
【００７５】
次に、本実施形態の処理を図１５から図１８に示すフローチャートを用いて説明する。これらのフローチャートは、主として制御部１０７ａがメモリ１１４に記憶されているプログラムを読み込んで実行することで実現される。
【００７６】
図１５及び図１６は、撮影モードにおいて、設定メニューの変更に関する処理を説明するフローチャートである。まず最初に、カメラモードが撮影モードかを判断する（Ｓ１１）。カメラモードが撮影モードではないときには（Ｓ１１ＮＯ）、再生モードの処理を行う（Ｓ１２）。再生モードの処理は、後述する（図１７、図１８）。
【００７７】
撮影モードであると判断すると（Ｓ１１ＹＥＳ）、設定メニューの項目番号Ｎを初期化し（Ｎ→0）（Ｓ２１）、画面に設定アイコンを表示する（Ｓ２２）。なお、設定メニューが全てデフォルトである場合には、図２（Ａ）に示したように白抜きの設定アイコン２０ａを表示し、設定メニューのいずれかがデフォルトから変更されている場合には、黒文字の設定アイコン２０ｂを表示する。同時に、ライブビュー画像表示用の画像処理条件を現に設定されている全設定条件に応じて調整して、ライブビュー画像を表示する（Ｓ２３）。そして、ライブビュー画像が表示されている状態で、撮影者の撮影指示を判断する（Ｓ２４）。撮影指示の判断は、操作部１１３のレリーズボタンへの操作の有無を検出すること行う。撮影指示があったと判断すると（Ｓ２４ＹＥＳ）、確定された設定の撮影条件で撮影を行う（Ｓ２６）。撮影終了後は、Ｓ２２に戻る。
【００７８】
次に撮影指示がないと判断すると（Ｓ２４ＮＯ）、次に、設定アイコンへのクリック操作の有無を判断する（Ｓ２５）。設定アイコンへのクリック操作がないと判断すると（Ｓ２５ＮＯ）、Ｓ２３に戻る。設定アイコンへのクリック操作があったと判断すると（Ｓ２５ＹＥＳ）、項目番号ＮがＮmax未満かを判断する（Ｓ２７）。Ｎmaxは、最大の項目番号、つまり設定メニューの全項目数を示し、本例では、図８の表に示すように、Ｎmax＝６である。Ｎは、Ｓ２１でＮが初期化された状態のままであればＮ＝０である。
【００７９】
ＮがＮmax未満であると判断すると（Ｓ２７ＹＥＳ）、Ｎを１つインクリメントする（Ｓ２８）。初期化された直後であれば、Ｓ２８でＮ＝１になる。ＮがＮmax以上であると判断すると（Ｓ２７ＮＯ）、Ｎ＝１にする（Ｓ２９）。設定メニューがＮ＝６（「感度」）である場合に、設定アイコンがクリック操作されたときには、設定メニューをＮ＝１の「ＡＬＬリセット」に戻すためである。Ｓ２８およびＳ２９の次にＳ３２に進む。
【００８０】
次に、現在の設定メニューが「ＡＬＬリセット」かを判断する（Ｓ３２）。「ＡＬＬリセット」であれば（Ｓ３２ＹＥＳ）、ＡＬＬリセット設定時のメニューを表示する（Ｓ３３）。
例えば図２（Ｂ）に示した画面である。「ＡＬＬリセット」でなければ（Ｓ３２ＮＯ）、Ｎに応じた設定メニューの項目(内容)を表示する（Ｓ３４）。例えば、Ｓ２５が「ＡＬＬリセット」の後のクリック操作であれば、Ｎ＝２で設定メニューとして「明るさ」が表示される。そして、その項目の具体的条件がデフォルト値である場合には、設定メニューを白抜きで表示する（図２（Ｃ））。
【００８１】
Ｓ３３及びＳ３４に続き、設定メニューの表示開始後、タイマ計測を開始する（Ｓ３５）。設定アイコンに対して一定時間フリック操作がない場合には、設定メニューを消去するためである。図２（Ｃ）等で説明したようなフリック操作がされたかを判断する（Ｓ３６）。フリック操作がされないで（Ｓ３６ＮＯ）、所定時間経過したかを判断する（Ｓ３７）。所定時間は、例えば５秒である。所定時間経過していなければ（Ｓ３７ＮＯ）、Ｓ３６に戻る。所定時間経過した場合には（Ｓ３７ＹＥＳ）、設定メニュー表示を消去して（Ｓ３８）、Ｓ２２に戻る。
【００８２】
所定時間内にフリック操作がされたと判断すると（Ｓ３６ＹＥＳ）、図１６のＳ４１に進む。
Ｓ４１では、設定メニューの項目に応じて設定条件を表示する（例えば、図２（Ｄ）、図３（Ｃ）、図４（Ｃ）、図５（Ｂ）、図６（Ｂ）、図７（Ｂ））。続いて、表示された設定条件に対して、図２（Ｄ）においてタッチパネルを介してスライダ４０ｂをスライドされる等、ユーザーの変更操作が行われた場合には、ユーザーにより設定された情報（スライダ位置）を取得する（Ｓ４２）。ユーザーの設定に応じてライブビュー画像の画像処理条件を変更して、ユーザーの設定を反映したライブビュー画像を表示させる（Ｓ４３）。
【００８３】
次に設定アイコンにクリック操作されたかを判断をする（Ｓ４４）。設定アイコンにクリック操作がされたと判断すると（Ｓ４４ＹＥＳ）は、設定を確定し（Ｓ４５）、設定メニューを消去する（Ｓ４６）。図２（Ｅ）、図２（Ｆ）に示した例である。変更されたことを示すために、設定メニューを黒文字に変更する。一方、設定アイコンにクリック操作がされていない場合には（Ｓ４４ＮＯ）は、Ｓ４２に戻る。
【００８４】
Ｓ４６に続き、設定が確定された後の画面では、設定アイコンに対して縦方向のフリック操作がされたかを判断する（Ｓ４７）。設定アイコンに縦方向のフリック操作がされたと判断すると（Ｓ４７ＹＥＳ）、設定メニューの現項目の内容をデフォルトに戻す（Ｓ４８）。図２（Ｆ）から図２（Ｇ）に示した例である。設定アイコンにフリック操作がされないと判断する場合には（Ｓ４７ＮＯ）、図１４のＳ２３に戻る。
【００８５】
次に、再生モードでの検索処理態様を説明する。図１７及び図１８は、再生モードにおける検索処理を説明するフローチャートである。図９から図１４で示した画面に関する処理で、図１５のＳ１２で示した再生モードの処理である。
【００８６】
まず図１７において、1コマ再生が設定されているかを判断する（Ｓ６１）。本例のカメラでは、再生モードとして、１コマ再生とインデックス再生のいずれかが選択可能とし、その設定は、ユーザーによる操作部１１３の指示で切換えられるものとする。
【００８７】
1コマ再生に設定されていない、つまりインデックス再生が設定されていると判断すると（Ｓ６１ＮＯ）、Ｓ６３に進む。インデックス再生の詳細は後述する。
【００８８】
1コマ再生画面が設定されていると判断されて（Ｓ６１ＹＥＳ）、カメラ電源オン直後は初期検索条件（デフォルトの検索条件）により検索された画像を表示する（Ｓ６２）。初期検索条件は、図１０で説明した検索メニュー項目の中で、項目Ｎ＝１の「ＡＬＬ」である。つまり、全ての画像が検索対象となり、画像番号の一番小さい画像から表示される。その後、適当な回数分コマ送りされた後の画面が、例えば図９（Ａ）の画面である。かかる画面で、検索アイコンがクリックされたかを判断する（Ｓ６４）。クリックされたと判断すると（Ｓ６４ＹＥＳ）、検索メニューの内容（項目）を切換えて表示する（Ｓ６５）。あわせて、コマ送り／戻しアイコンを隠す（Ｓ６６）。
【００８９】
検索アイコンから左方向にフリック操作されたかを判断する（Ｓ６７）。ここで、左方向にフリック操作されていないと判断すると（Ｓ６７ＮＯ）、検索アイコンに対して下方向にフリック操作されたかを判断する（Ｓ７１）。下方向にフリック操作されたと判断すると（Ｓ７１ＹＥＳ）、図１８のＳ８５にジャンプする。これについては、後述する。下方向へのフリック操作がされていないと判断すると（Ｓ７１ＮＯ）、Ｓ６４に戻る。
【００９０】
Ｓ６７において、検索アイコンから左方向にフリック操作されたと判断すると（Ｓ６７ＹＥＳ）、表示されている検索メニューの条件に基づいて、検索を実行する（Ｓ６８）。例えば、図９（Ｂ）の画面であれば、静止画像を検索する。検索は記録媒体から画像ファイルのタグ情報あるいは拡張子に基づいて行われる。検索された画像で、最初の画像を1コマ表示する（Ｓ７２）。表示する最初の画像は、検索直前に表示されている画像以上の画像番号であって、かつ検索直前に表示されている画像に画像番号が最も近い画像とする。もちろん、検索直前の画像に関わらず、検索画像の中で画像番号の最小あるいは最大の画像を、最初に表示する画像としてもよい。
【００９１】
検索画像を表示する場合には、コマ送り／戻しアイコンも再度表示する（Ｓ７３）。このコマ送り／戻しアイコンがクリックされたかを判断する（Ｓ７４）。コマ送り／戻しアイコンがクリックされたと判断すると（Ｓ７４ＹＥＳ）、検索された画像の中から、クリックされた矢印の向きに応じて、前後いずれかの画像番号の画像を1コマ再生する（Ｓ７５）。コマ送り／戻しアイコンがクリックされていないと判断すると（Ｓ７４ＮＯ）、Ｓ６４に戻る。
【００９２】
また、Ｓ６４で、検索アイコンがクリックされていないと判断すると（Ｓ６４ＮＯ）、Ｓ７４に進む。Ｓ７４、Ｓ７５は、説明済みなので省略する。
【００９３】
次に、Ｓ６３に戻る。Ｓ６３では、全ての画像ファイルを検索対象として、画像番号の一番小さい画像を先頭にしたインデックス再生画面を表示する（Ｓ６３）。画面には、ページ送り／戻しアイコン５７が表示される。インデックス再生で一括再生する画像数（本例では９）は、操作部からの指示で設定される。続いて、Ｓ８１に進む。
【００９４】
インデックス再生画面（例えば図１２（Ａ））で検索アイコンがクリックされたかを判断する（Ｓ８１）。インデックス再生画面で検索アイコンがクリックされたと判断すると（Ｓ８１ＹＥＳ）、検索メニューを図１０の表に準じた順番で切換えて表示する（Ｓ８２）。そして、ページ送り／戻しアイコン５７を隠す（Ｓ８３）。
【００９５】
検索アイコンから左方向にフリック操作されたかを判断する（Ｓ８４）。ここで、左方向にフリック操作されていないと判断すると（Ｓ８４ＮＯ）、Ｓ８１に戻る。例えば図１２（Ｂ）から図１２（Ｃ）で示したように、左方向にフリック操作がなされたと判断すると（Ｓ８４ＹＥＳ）、検索メニューの条件に従って、検索を実行する（Ｓ８５）。検索された画像を、インデックス再生する（Ｓ８６）。インデックス再生では、検索された画像を画像番号順に並べるものとする。最初のインデックス再生画面での先頭画像は、検索直前に表示されている画像以上の画像番号であって、かつ検索直近に表示されている画像に最も近い画像とする。
【００９６】
ページ送り／戻しアイコンも再度表示する（Ｓ８７）。このページ送り／戻しアイコンがクリックされたかを判断する（Ｓ８８）。コマ送り／戻しアイコンがクリックされたと判断すると（Ｓ８８ＹＥＳ）、検索された画像において次または前のページのインデックス再生画面を表示する（Ｓ８９）。その後、Ｓ８１に戻る。また、ページ送り／戻しアイコンがクリックされていないと判断すると（Ｓ８８ＮＯ）、同じくＳ８１に戻る。
【００９７】
Ｓ８１で、検索アイコンのクリック操作がされていないと判断すると（Ｓ８１ＮＯ）、Ｓ８８に進む。Ｓ８８、Ｓ８９は、説明済みなので省略する。
【００９８】
以上の実施形態においては、ＵＩ制御部１０７ａがメモリ１１４に格納されたＵＩ制御用のプログラムを読み出して実行することで、上記フローチャートが処理されるので、制御用プログラムも本発明となる。あわせて、このような制御用プログラムが記録された記録媒体も本発明となる。プログラムを格納する記録媒体としては、フラッシュメモリに限定されるものではなく、ＣＤ−ＲＯＭ、ＤＶＤ−ＲＯＭ等の光学記録媒体、ＭＤ等の磁気記録媒体、テープ媒体、ＩＣカードなどの半導体メモリであってもよい。そして、かかる処理は、ソフトウェア処理に限るものではなく、ソフトウェア処理とハードウェア処理の組み合わせで、実現してもよい。
【００９９】
また、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組合わせても良い。さらに、異なる実施形態にわたる構成要素を適宜組合わせてもよい。このような、発明の趣旨を逸脱しない範囲内において種々の変形や応用が可能であることはもちろんである。
【符号の説明】
【０１００】
１０・・・画面、２０ａ、２０ｂ・・・設定アイコン、２４ａ、２４ｂ・・・フリック操作、３０ａ、３０ｂ・・・設定メニュー、４０、４１、４２、４３，４４，４５、４６・・・設定条件、４０ａ・・・ライン、４０ｂ・・・スライダ、４０ｃ・・・名称、４２ａ・・・矢印欄、４５ａ、４５ｂ・・・項目、５０・・・画面、５２・・・モード表示、５４・・・画像番号、５６・・・コマ送り／戻しアイコン、５７・・・ページ送り／戻しアイコン、５８・・・再生アイコン、６０・・・検索アイコン  ６２・・・インデックス画像、７０a、７０ｂ・・・検索メニュー、１００・・・デジタルカメラ、１０１・・・レンズ、１０２・・・撮像素子、１０３・・・撮像回路、１０４・・・Ａ／Ｄ変換回路、１０５・・・画像処理部、１０６・・・ＪＰＥＧ処理部、１０７・・・制御部、１０７ａ・・・ＵＩ制御部、１０８・・・ＳＤＲＡＭ，１０９・・・メモリＩ／Ｆ、１１０・・・表示ドライバ、１１１・・・レンズ駆動部、１１２・・・レンズ駆動制御回路、１１３・・・操作部、１１３ａ・・・タッチパネル、１１４・・・メモリ、１１５・・・記録媒体、１１６・・・表示部
【図１】
2013021548.tif 000003
【図１５】
2013021548.tif 000004
【図１６】
2013021548.tif 000005
【図１７】
2013021548.tif 000006
【図１８】
2013021548.tif 000007
【図２】
2013021548.tif 000008
【図３】
2013021548.tif 000009
【図４】
2013021548.tif 000010
【図５】
2013021548.tif 000011
【図６】
2013021548.tif 000012
【図７】
2013021548.tif 000013
【図８】
2013021548.tif 000014
【図９】
2013021548.tif 000015
【図１０】
2013021548.tif 000016
【図１１】
2013021548.tif 000017
【図１２】
2013021548.tif 000018
【図１３】
2013021548.tif 000019
【図１４】
2013021548.tif 000020